(57)【特許請求の範囲】
【請求項１】
固形略板状ないし略柱状の石鹸を収容するための凹部を備え、その凹部の底部に水排出用の貫通孔が形成されている石鹸容器であって、上記石鹸を立てたままの状態で収容可能に上記凹部が形成されるとともに、上記凹部の底面が上記貫通孔を最底部とする曲面に形成され、上記貫通孔が平面視略十字状に形成されるとともに、その十字状の４つの端部が半円状に貫通形成され、上記十字状の交叉部を除く上記４つの端部の周縁部に凸条台部が各端部の半円状に沿って円弧状に形成されていることを特徴とする石鹸容器。
【発明の詳細な説明】
【０００１】
【発明の属する技術分野】
本発明は、固形石鹸を収容するための石鹸容器に関するものである。
【０００２】
【従来の技術】
一般に、図６に示すように、固形石鹸Ｓ1 は、略板状の形状をしている。また、その石鹸Ｓ1 を収容する石鹸容器５０は、石鹸Ｓ1 を寝かせたままの状態で収容する凹部５１を備えており、その凹部５１の底部には、水排出用の貫通孔５３が形成されている。そして、その石鹸Ｓ1 の収容は、石鹸Ｓ1 の最も広い面のうちの一面を下にして上記凹部５１の底面に当接させ、石鹸Ｓ1 を寝かせたままの状態にして行なわれる。
【０００３】
【発明が解決しようとする課題】
しかしながら、上記従来の石鹸容器５０では、石鹸Ｓ1 を寝かせた状態で収容しているため、その状態での石鹸Ｓ1 の上面および下面では、水切れが悪い。特に、上記石鹸Ｓ1 の下面では、石鹸Ｓ1 を収容する凹部５１の底部に水排出用の貫通孔５３が形成されていても、上記凹部５１の底面との当接部分に、水が溜まりやすい。このように、水切れが悪かったり水が溜まりやすかったりするため、石鹸Ｓ1 の上面および下面が水に溶けて軟らかくなる。しかも、上記従来の石鹸容器５０では、石鹸Ｓ1 を寝かせた状態で収容しているため、石鹸Ｓ1 の最も広い２つの面（上記石鹸の上面および下面）で、水切れが悪かったり水が溜まりやすかったりして、水に溶けて軟らかくなる石鹸Ｓ1 の量が多い。このようにして軟らかくなった石鹸Ｓ1 は使いにくい。
【０００４】
そこで、水切れをよくしたり水が溜まりにくくするために、上記凹部５１に石鹸Ｓ1 を立てたままの状態で収容しようとしても、上記凹部５１は、それが可能となるように形成されていないため、石鹸Ｓ1 はすぐに倒れる。
【０００５】
本発明は、このような事情に鑑みなされたもので、石鹸が溶けて軟らかくなることを防止することができる石鹸容器の提供をその目的とする。
【０００６】
【課題を解決するための手段】
上記の目的を達成するため、本発明の石鹸容器は、固形略板状ないし略柱状の石鹸を収容するための凹部を備え、その凹部の底部に水排出用の貫通孔が形成されている石鹸容器であって、上記石鹸を立てたままの状態で収容可能に上記凹部が形成されるとともに、上記凹部の底面が上記貫通孔を最底部とする曲面に形成され、上記貫通孔が平面視略十字状に形成されるとともに、その十字状の４つの端部が半円状に貫通形成され、上記十字状の交叉部を除く上記４つの端部の周縁部に凸条台部が各端部の半円状に沿って円弧状に形成されているという構成をとる。
【０００７】
すなわち、本発明の石鹸容器では、石鹸を収容するための凹部に石鹸を立てたままの状態で収容できるため、石鹸の表面の水切れがよく、石鹸の表面に水が溜まりにくくすることができる。また、上記凹部の底部に形成されている平面視略十字状の貫通孔の４つの端部の半円状に沿って円弧状に凸条台部が形成されているため、石鹸を上記凹部に収容すると、石鹸の最下部が上記凸条台部の上面に当接して、石鹸は自立するようになり、石鹸と上記凹部との当接部分をたいへん狭くすることができる。このため、石鹸の表面に水が溜まりにくくすることができる。そして、上記凸条台部の形成が上記十字状の交叉部を除く上記４つの端部であるため、水は、上記貫通孔の周縁部のうち上記凸条台部が形成されていない部分から、上記貫通孔に流れ落ちるようになり、石鹸の表面に水が溜まりにくくすることができる。このように、本発明の石鹸容器によれば、収容される石鹸の表面に水が溜まりにくくすることができるため、石鹸が溶けて軟らかくなることを防止することができる。なお、本発明において、「石鹸を立てたままの状態」とは、石鹸の長手方向が水平面と４５〜１３５度の範囲の角度をなしている状態のことを意味する。
【０００８】
【発明の実施の形態】
つぎに、本発明の実施の形態を図面にもとづいて詳しく説明する。
【０００９】
図１〜図４は、本発明の石鹸容器の一実施の形態を示している。この実施の形態では、図１に示すように、石鹸容器Ａは、所定形状の固形石鹸Ｓを立てたままの状態で収容するためのものであり、その収容を可能とする凹部１が上記石鹸容器Ａに形成されている。そして、販売時には、上記石鹸Ｓが包装されて上記凹部１に収容され、上記石鹸容器Ａが蓋体２で蓋されている。また、上記石鹸Ｓが未使用の状態の大きさであれば、その石鹸Ｓを上記凹部１に収容すると、上記凹部１の開口面から上に石鹸Ｓの全体積の約６０％が突出するようになっている。
【００１０】
より詳しく説明すると、上記石鹸Ｓは、略長方形の板状をしており、長手方向の両端部分が丸くなっている（図３参照）。また、長手方向に沿って中心部分が盛り上がっており、その盛り上がりは、長手方向の両端部で小さくなっている（図４参照）。
【００１１】
上記凹部１は、その底面およびそれに連続する側周面が、上記凹部１に収容される石鹸Ｓの部分の表面形状に略対応するように曲面に形成されている（図３および図４参照）。そして、図２に示すように、上記凹部１の開口寸法は、横の長さＬ1 が石鹸Ｓの幅よりも僅かに大きく、縦の長さＬ2 が石鹸Ｓの厚みよりも僅かに大きくなっており、石鹸Ｓが使用されてよほど小さくならない限り、石鹸Ｓを寝かせた状態では収容できない大きさになっている。また、上記凹部１の最底部には、水排出用の貫通孔３が平面視略十字状に形成されており、その十字状の４つの端部は、半円状に貫通形成されている。さらに、その十字状の交叉部を除く上記４つの端部の周縁部には、凸条台部４が形成されている。また、上記石鹸容器Ａの外周面の上部には、上記蓋体２が蓋された際にその蓋体２の開口縁を支持する支持突部５が周設されている。
【００１２】
そして、図３および図４に示すように、上記石鹸Ｓが上記凹部１に収容されている状態では、その石鹸Ｓの最下部が上記４つの凸条台部４の上面に当接し、石鹸Ｓはそれら４つの凸条台部４に支持されて自立するようになっており、石鹸Ｓの長手方向が水平面と９０度の角度を保つようになっている。また、上記石鹸Ｓが使用されて薄くかつ小さくなると、石鹸Ｓは自立できなくなるが、石鹸Ｓの最下部を上記凸条台部４の上面に当接させた状態で、石鹸Ｓのそれ以外の部分を上記凹部１の開口縁や側周面にもたれさせることにより、石鹸Ｓを立てたままの状態（石鹸Ｓの長手方向と水平面とが４５〜１３５度の範囲の角度をなしている状態）に保つことができるようになっている。
【００１３】
このため、上記石鹸Ｓを使用したのちに、その石鹸Ｓを上記石鹸容器Ａの凹部１に収容すると、その石鹸Ｓを立てたままの状態で収容できる。この収容状態では、石鹸Ｓの表面の水切れがよく、石鹸Ｓの表面に水が溜まりにくくすることができる。
【００１４】
また、石鹸Ｓを上記石鹸容器Ａの凹部１に収容すると、石鹸Ｓの最下部が上記凸条台部４の上面に当接して、石鹸Ｓは自立するようになり、石鹸Ｓと上記凹部１との当接部分をたいへん狭くすることができる。このため、石鹸Ｓの表面に水が溜まりにくくすることができる。
【００１５】
そして、上記凸条台部４の形成が十字状の貫通孔３の交叉部を除く周縁部であるため、水は、上記十字状の貫通孔３の交叉部から流れ落ちるようになり、石鹸Ｓの表面に水が溜まりにくくすることができる。特に、上記貫通孔３が十字状であるため、様々な方向から流れてくる水を貫通孔３から落とすことができる。さらに、上記貫通孔３が上記凹部１の最底部に形成されているため、効率よく水を貫通孔３から落とすことができる。
【００１６】
このように、上記実施の形態の石鹸容器Ａによれば、収容される石鹸Ｓの表面に水が溜まりにくくすることができるため、石鹸Ｓが溶けて軟らかくなることを防止することができる。
【００１７】
また、石鹸Ｓが未使用の状態の大きさであれば、石鹸Ｓを立てたままの状態でその全体積の約６０％を凹部１の開口面から上に突出させることができるため、その石鹸Ｓの突出部分を把持して上記凹部１から容易に取り出すことができる。そして、石鹸Ｓが使用されて薄くかつ小さくなっても、上記凹部１の側周面と石鹸Ｓの表面との隙間が広くなるため、その隙間に手指をいれることにより、石鹸Ｓを上記凹部１から容易に取り出すことができる。
【００１８】
さらに、上記石鹸容器Ａは、石鹸Ｓを立てたままの状態で収容するため、石鹸を寝かせた状態で収容する従来のものよりも、場所をとらない。
【００１９】
図５は、本発明の石鹸容器の他の実施の形態を示している。この実施の形態の石鹸容器Ｂは、上記実施の形態における石鹸容器Ａの凹部１（図１参照）を２つ並設したものである。それ以外の部分は、上記実施の形態と同様であり、同様の部分には同じ符号を付している。そして、上記実施の形態と同様の作用・効果を奏する。さらに、各凹部１にそれぞれ異なる種類の石鹸Ｓを収容することができる。
【００２０】
なお、上記各実施の形態では、石鹸Ｓを収容する凹部１が１つである石鹸容器Ａおよびそれが２つである石鹸容器Ｂについて説明したが、上記凹部１の数は特に限定されるものではなく、３つ以上でもよい。また、それら凹部１の配置も特に限定されるものではない。
【００２１】
また、上記各実施の形態では、上記石鹸Ｓの形状を略長方形の板状としたが、その形状は特に限定されるものではなく、他形の板状ないし略柱状でもよい。
【００２２】
さらに、上記各実施の形態では、上記石鹸Ｓが未使用の状態の大きさであれば、石鹸Ｓを立てたままの状態でその約６０％を上記凹部１の開口面から突出させるようにしたが、その突出量は、特に限定されるものではない。しかし、石鹸Ｓを上記凹部１から容易に取り出すためには、上記突出量は石鹸Ｓの約４０％以上であることが好ましい。上記突出量が約４０％を下回ると、把持できる部分が少なくなって取り出しが困難となるからである。ただし、上記突出量が約７０％を上回ると、石鹸Ｓの大きさの割りには上記凹部１の深みが浅くなり、上記石鹸Ｓが使用されて薄くかつ小さくなった際に、石鹸Ｓを立てたままの状態に保つことが困難となるため、上記突出量は約７０％以下であることが好ましい。
【００２３】
【発明の効果】
以上のように、本発明の石鹸容器によれば、固形略板状ないし略柱状の石鹸を収容するための凹部が上記石鹸を立てたままの状態で収容可能に形成され、上記凹部の底部に平面視略十字状の貫通孔が形成され、その十字状の貫通孔の交叉部を除く４つの端部に沿って円弧状に凸条台部が形成されているため、収容される石鹸の表面に水が溜まりにくくすることができる。その結果、石鹸が溶けて軟らかくなることを防止することができる。
【図面の簡単な説明】
【図１】本発明の石鹸容器の一実施の形態を示す斜視図である。
【図２】上記石鹸容器を示す平面図である。
【図３】上記石鹸容器を示す図２のＸ−Ｘ断面図である。
【図４】上記石鹸容器を示す図２のＹ−Ｙ断面図である。
【図５】本発明の石鹸容器の他の実施の形態を示す斜視図である。
【図６】従来の石鹸容器を示す斜視図である。
【符号の説明】
Ｓ  石鹸
１  凹部
３  貫通孔
４  凸条台部
【図１】
0003715530.tif 000002
【図２】
0003715530.tif 000003
【図３】
0003715530.tif 000004
【図４】
0003715530.tif 000005
【図５】
0003715530.tif 000006
【図６】
0003715530.tif 000007